(57)【特許請求の範囲】
【請求項１】
表示手段を備えた撮像装置との通信手段と、
前記撮像装置への設定変更の要求を入力する入力手段と、
前記設定変更の要求の内容が所定の条件を満たす場合には、前記設定変更の要求に係る表示要素が前記撮像装置の表示手段に表示される際に強調表示されるよう、前記設定変更の要求の内容を示す第１の情報とともに強調表示するための第２の情報を前記通信手段によって前記撮像装置へ送信するように制御し、
前記設定変更の要求の内容が、前記所定の条件を満たさない場合には、前記第２の情報を送信することなく前記第１の情報を前記通信手段によって前記撮像装置へ送信するように制御する制御手段と、
を有することを特徴とする通信装置。
【請求項２】
前記設定変更に係る前記表示要素が前記撮像装置の表示手段に表示される際に強調表示されるべきであるかを、前記所定の条件に基づいて判定する判定手段を更に有する、ことを特徴とする請求項１に記載の通信装置。
【請求項３】
所定の範囲の前記撮像装置への設定変更の要求の内容が、前記撮像装置の表示手段において強調表示されるように予め設定する設定手段を更に有し、
前記所定の条件は、前記設定変更の要求の内容が前記設定手段に設定された前記所定の範囲に含まれるか否かを含む、ことを特徴とする請求項１又は２に記載の通信装置。
【請求項４】
前記所定の条件は、前記入力手段に対する入力が、第１の操作態様とは異なる第２の操作態様であるか否かを含む、ことを特徴とする請求項１又は２に記載の通信装置。
【請求項５】
前記第１の操作態様は、前記入力手段に対して所定の閾値よりも弱く押下する操作であり、前記第２の操作態様は、前記入力手段に対して前記所定の閾値以上に強く押下する操作である、ことを特徴とする請求項４に記載の通信装置。
【請求項６】
前記第１の操作態様は、前記入力手段に対して所定の時間よりも短く押下する操作であり、前記第２の操作態様は、前記入力手段に対して前記所定の時間以上に長く押下する操作である、ことを特徴とする請求項４に記載の通信装置。
【請求項７】
情報表示手段を更に有し、
前記制御手段は、前記撮像装置の表示手段において強調表示された前記表示要素を示す変更結果の情報を前記通信手段によって受信するように制御し、
前記情報表示手段は、受信した前記変更結果の情報に係る表示要素を強調して表示する、ことを特徴とする請求項１から６のいずれか１項に記載の通信装置。
【請求項８】
前記情報表示手段は、前記入力手段と一体的に構成される、ことを特徴とする請求項７に記載の通信装置。
【請求項９】
前記変更結果の情報に係る表示要素の強調は、表示要素の色の変更、文字サイズの変更、書体の変更、若しくは効果の変更、又はダイアログによる表示の少なくともいずれかを含む、ことを特徴とする請求項８に記載の通信装置。
【請求項１０】
表示手段を備えた撮像装置との通信手段と、
前記撮像装置への設定変更の要求を入力する入力手段と、
所定の条件を満たす場合に前記設定変更の要求に係る表示要素が前記撮像装置の表示手段に表示される際に強調表示され、前記所定の条件を満たさない場合に前記表示要素が強調表示されないための、前記設定変更の要求の内容についての前記所定の条件を示す第１の情報を、前記設定変更の要求の内容を示す第２の情報とともに前記通信手段によって前記撮像装置へ送信するように制御する制御手段と、
を有することを特徴とする通信装置。
【請求項１１】
情報表示手段を更に有し、
前記制御手段は、前記撮像装置において前記所定の条件を満たしたことを示す強調結果の情報を前記通信手段によって受信するように制御し、
前記情報表示手段は、受信した前記強調結果の情報に係る表示要素を強調して表示する、ことを特徴とする請求項１０に記載の通信装置。
【請求項１２】
前記所定の条件は、前記撮像装置の表示手段に表示される際に強調表示されるべき、前記設定変更の要求の内容に係る値の範囲を含む、ことを特徴とする請求項１０又は１１に記載の通信装置。
【請求項１３】
表示手段を備えた撮像装置との通信する通信手段を有する通信装置の制御方法であって、
入力手段が、前記撮像装置への設定変更の要求を入力する入力工程と、
制御手段が、前記設定変更の要求の内容が所定の条件を満たす場合には、前記設定変更の要求に係る表示要素が前記撮像装置の表示手段に表示される際に強調表示されるよう、前記設定変更の要求の内容を示す第１の情報とともに強調表示するための第２の情報を前記通信手段によって前記撮像装置へ送信するように制御し、
前記設定変更の要求の内容が、前記所定の条件を満たさない場合には、前記第２の情報を送信することなく前記第１の情報を前記通信手段によって前記撮像装置へ送信するように制御する制御工程と、
を有することを特徴とする通信装置の制御方法。
【請求項１４】
表示手段を備えた撮像装置との通信手段を有する通信装置の制御方法であって、
入力手段が、前記撮像装置への設定変更の要求を入力する入力工程と、
制御手段が、所定の条件を満たす場合に前記設定変更の要求に係る表示要素が前記撮像装置の表示手段に表示される際に強調表示され、前記所定の条件を満たさない場合に前記表示要素が強調表示されないための、前記設定変更の要求の内容についての前記所定の条件を示す第１の情報を、前記設定変更の要求の内容を示す第２の情報とともに前記通信手段によって前記撮像装置へ送信するように制御する制御工程と、
を有することを特徴とする通信装置の制御方法。
【請求項１５】
コンピュータを、請求項１から１２のいずれか１項に記載された通信装置の各手段として機能させるためのプログラム。
【請求項１６】
コンピュータを、請求項１から１２のいずれか１項に記載された通信装置の各手段として機能させるためのプログラムを格納したコンピュータが読み取り可能な記録媒体。
【請求項１７】
撮像手段と、
表示手段と、
通信装置から送信された情報を受信する受信手段と、
前記受信手段で設定変更の要求の内容を示す第１の情報を受信した場合に、該第１の情報と共に第２の情報を受信した場合には、該第１の情報に基づいて設定変更を行うとともに、前記表示手段において当該設定変更に関する強調表示を行い、
前記受信手段で設定変更の要求の内容を示す第１の情報を受信した場合に、該第１の情報と共に第２の情報を受信しなかった場合には、前記表示手段において当該設定変更に関する強調表示を行うことなく、該第１の情報に基づいて設定変更を行う処理手段と、
を有することを特徴とする撮像装置。
【請求項１８】
通信装置と、該通信装置と通信可能な撮像装置を含む撮像システムであって、
前記通信装置は、
表示手段を備えた前記撮像装置との通信手段と、
前記撮像装置への設定変更の要求を入力する入力手段と、
前記設定変更の要求の内容が所定の条件を満たす場合には、前記設定変更の要求に係る表示要素が前記撮像装置の表示手段に表示される際に強調表示されるよう、前記設定変更の要求の内容を示す第１の情報とともに強調表示するための第２の情報を前記通信手段によって前記撮像装置へ送信するように制御し、
前記設定変更の要求の内容が、前記所定の条件を満たさない場合には、前記第２の情報を送信することなく前記第１の情報を前記通信手段によって前記撮像装置へ送信するように制御する制御手段とを有し、
前記撮像装置は、
撮像手段と、
前記表示手段と、
通信装置から送信された情報を受信する受信手段と、
前記受信手段で設定変更の要求の内容を示す第１の情報を受信した場合に、該第１の情報と共に第２の情報を受信した場合には、該第１の情報に基づいて設定変更を行うとともに、前記表示手段において当該設定変更に関する強調表示を行い、
前記受信手段で設定変更の要求の内容を示す第１の情報を受信した場合に、該第１の情報と共に第２の情報を受信しなかった場合には、前記表示手段において当該設定変更に関する強調表示を行うことなく、該第１の情報に基づいて設定変更を行う処理手段とを有する、
ことを特徴とする撮像システム。
【請求項１９】
撮像手段と、
表示手段と、
通信装置から送信された情報を受信する受信手段と、
前記受信手段で受信した設定変更の要求の内容についての所定の条件を示す第１の情報を受信した場合、前記受信手段で前記設定変更の要求の内容を示す第２の情報を受信すると、前記所定の条件を満たす場合に前記設定変更の要求に係る表示要素を前記表示手段に強調表示し、前記所定の条件を満たさない場合に前記表示要素が前記表示手段において強調表示されないように処理する処理手段と、
を有することを特徴とする撮像装置。
【請求項２０】
通信装置と、該通信装置と通信可能な撮像装置を含む撮像システムであって、
前記通信装置は、
表示手段を備えた撮像装置との通信手段と、
前記撮像装置への設定変更の要求を入力する入力手段と、
所定の条件を満たす場合に前記設定変更の要求に係る表示要素が前記撮像装置の表示手段に表示される際に強調表示され、前記所定の条件を満たさない場合に前記表示要素が強調表示されないための、前記設定変更の要求の内容についての前記所定の条件を示す第１の情報を、前記設定変更の要求の内容を示す第２の情報とともに前記通信手段によって前記撮像装置へ送信するように制御する制御手段とを有し、
前記撮像装置は、
撮像手段と、
前記表示手段と、
通信装置から送信された情報を受信する受信手段と、
前記受信手段で受信した設定変更の要求の内容についての所定の条件を示す第１の情報を受信した場合、前記受信手段で前記設定変更の要求の内容を示す第２の情報を受信すると、前記所定の条件を満たす場合に前記設定変更の要求に係る表示要素を前記表示手段に強調表示し、前記所定の条件を満たさない場合に前記表示要素が前記表示手段において強調表示されないように処理する処理手段とを有する、
ことを特徴とする撮像システム。
【請求項２１】
コンピュータを、請求項１７または１９に記載された撮像装置の各手段として機能させるためのプログラム。
【請求項２２】
コンピュータを、請求項１７または１９に記載された撮像装置の各手段として機能させるためのプログラムを格納したコンピュータが読み取り可能な記録媒体。
【請求項２３】
通信装置及び撮像装置を、請求項１８または２０に記載された撮像システムの各手段として機能させるためのプログラム。
【請求項２４】
通信装置及び撮像装置を、請求項１８または２０に記載された撮像システムの各手段として機能させるためのプログラムを格納したコンピュータが読み取り可能な記録媒体。
【発明の詳細な説明】
【技術分野】
【０００１】
本発明は、通信装置、撮像装置、それらの制御方法、プログラム及び記録媒体に関する。
【背景技術】
【０００２】
一般に、デジタルカメラのユーザは、本体に配置されたキーやタッチパネルを操作して露出やホワイトバランス等の撮影に関する設定や調整を行い、所望の撮影条件で撮影を行うことができる。一方、カメラとリモコン機器とを有線又は無線で接続し、リモコン機器から撮影条件の設定や調整を行うことができるシステムも知られている。カメラと併用するリモコン機器は、例えば複数人で撮影を行う映像制作の現場において、カメラマンがフォーカスとフレーミングに専念し、アシスタントがその他の設定を操るような役割分担を行う場合に有用である。
【０００３】
カメラと併用するリモコン機器の操作により、接続先のカメラが制御するカーソルを移動させて設定項目を選択し、カメラの設定を変更する技術が知られている（特許文献１）。特許文献１に開示された技術では、機能が無効状態となっている設定項目にカーソルを当てた場合、カメラ側の表示部においてアイコンを点滅表示させ、無効な機能が設定変更されることをカメラマンへ通知することができる。
【先行技術文献】
【特許文献】
【０００４】
【特許文献１】特開２００３−２２４７５７号公報
【発明の概要】
【発明が解決しようとする課題】
【０００５】
ところで、リモコン機器を操作するアシスタントは、フォーカスとフレーミングに専念しているカメラマンに対して、リモコン機器において行った設定変更や調整等の内容を強調して通知したい場合がある。例えば、アシスタントが露出を変更した場合に、その変更がシャッタースピードの変更なのか、絞り値の変更なのか、ゲインの変更なのかを明確に知らせたい場合などである。これは、アシスタントのした設定変更がシャッター値の低下である場合、より手ぶれに気をつけるべきことや、それが絞り値の開放である場合、よりフォーカシングに気を遣うべきことを、カメラマンに気付かせるためである。一方、カメラマンに自らの責務に専念させるため、敢えて設定変更を強調して通知したくない場合も考えられる。例えば、微細なホワイトバランスの調整については、カメラマンへ明確に通知しなくても特に支障がないため、アシスタントは、敢えてカメラマンの集中力を削ぐような通知を避けることが望ましい。
【０００６】
別の状況では、カメラからライブビュー出力された映像信号を、撮影監督が外部のモニタでチェックしながら撮影を行う場合がある。このような場合、設定変更を行う場合であっても、事前の撮影計画で予定されていた設定変更については特に強調して通知する必要がないことが考えられる。この場合、反対に、例えば予定に無かったような特定の設定変更については、撮影監督が当該設定変更に気付くことができるように、強調して通知されることが望ましい。
【０００７】
このような課題に対して、特許文献１では、リモコン機器において行った特定の設定変更を接続先のカメラの使用者に通知するか否かを制御する技術は考慮されていなかった。
【０００８】
本発明は、上述の問題点に鑑みてなされたものである。すなわち、通信装置から撮像装置の設定変更を行う際に、変更した設定項目のうち所望のものだけを撮像装置の使用者側に通知することが可能な通信装置、撮像装置、それらの制御方法、プログラム及び記録媒体を提供することを目的とする。
【課題を解決するための手段】
【０００９】
この課題を解決するため、例えば本発明の通信装置は以下の構成を備える。すなわち、表示手段を備えた撮像装置との通信手段と、撮像装置への設定変更の要求を入力する入力手段と、設定変更の要求の内容が所定の条件を満たす場合には、設定変更の要求に係る表示要素が撮像装置の表示手段に表示される際に強調表示されるよう、設定変更の要求の内容を示す第１の情報とともに強調表示するための第２の情報を通信手段によって撮像装置へ送信するように制御し、設定変更の要求の内容が、所定の条件を満たさない場合には、第２の情報を送信することなく第１の情報を通信手段によって撮像装置へ送信するように制御する制御手段と、を有することを特徴とする。
【発明の効果】
【００１０】
通信装置から撮像装置の設定変更を行う際に、変更した設定項目のうち所望のものだけを撮像装置の使用者側に通知することが可能になる。
【図面の簡単な説明】
【００１１】
【図１】本発明の実施形態に係る撮像システムの構成例を示す図
【図２】本実施形態に係る撮像装置の一例としてのビデオカメラの機能構成例を示すブロック図
【図３】本実施形態に係る通信装置の一例としてのタブレット端末の機能構成例を示すブロック図
【図４Ａ】、
【図４Ｂ】実施形態１に係るタブレット端末における設定変更処理の一連の動作を示すフローチャート
【図４Ｃ】実施形態１に係るビデオカメラにおける設定変更処理の一連の動作を示すフローチャート
【図５】実施形態１に係るタブレット端末とビデオカメラにおける各画面表示例を模式的に示す図
【図６Ａ】実施形態２に係るタブレット端末における設定変更処理の一連の動作を示すフローチャート
【図６Ｂ】実施形態２に係るビデオカメラにおける設定変更処理の一連の動作を示すフローチャート
【図７】実施形態１に係るタブレット端末における画面表示例を模式的に示す図
【発明を実施するための形態】
【００１２】
（実施形態１）
（撮像システムの構成）
図１は、本実施形態に係る撮像システムの構成例を示している。本実施形態に係る撮像システムは例えば、タブレット端末（単にタブレットという）１０１と、無線通信１０２によってタブレット１０１と連携するビデオカメラ１００（デジタルカメラ）と、ビデオカメラ１００にＳＤＩケーブル１０３で接続されたモニタ１０４とから構成される。タブレット１０１は本実施形態に係る通信装置の一例を、ビデオカメラ１００は本実施形態に係る撮像装置の一例をそれぞれ示している。無線通信１０２には、本実施形態では例えばＷｉ−Ｆｉ（登録商標）が使用される場合を例に説明するが、他の通信方式を用いてもよい。例えば、Ｂｌｕｅｔｏｏｔｈ（登録商標）や独自の無線通信方式に代替しても構わない。あるいは、無線通信の代わりに有線通信を用いてもよい。すなわちＲＳ−２３２Ｃ、ＲＳ−４２２Ａ、ＵＳＢ、Ｅｔｈｅｒｎｅｔ（登録商標）又はＬＡＮＣ（登録商標）など、通信方式を問わず実施することができる。
【００１３】
図２は、ビデオカメラ１００の機能構成例を示すブロック図である。ビデオカメラ１００を構成する各部は、制御部２１２で動作するプログラムによって制御され、データバス２１７を介して、相互間のデータの入出力を行う。
【００１４】
撮影光学系２００は、フォーカス、絞り機構などを含む撮影レンズ群であり、被写体の光学像を形成する。撮像素子２０１は、例えばＣＭＯＳで構成される光電変換部とＡ／Ｄ変換機を含み、撮影光学系２００から入力される光学像をアナログ電気信号に変換した後、デジタル信号（映像データ）に変換する。なお、光電変換部はＣＭＯＳに限定されるものではなく、ＣＣＤなどの他の光電変換部で構成されてもよい。
【００１５】
カメラ信号処理部２０２は、撮像素子２０１から出力された映像データに対して、所定の画素補間・縮小といったリサイズ処理、色変換、又は各種補正処理等を行う。カメラ信号処理部２０２から出力された信号は、後述するＣＯＤＥＣ２０９によって所定のビットレート、フォーマット形式で圧縮符号化される。記録媒体２０３は、ＣＯＤＥＣ２０９から出力された映像データと映像データに付随するメタデータとを記録する。電源２０４は、ＡＣ電源やバッテリーを含み、ビデオカメラ１００の各部に必要な電源を供給する。
【００１６】
操作部２０５は、ビデオカメラ１００の電源２０４のＯＮ／ＯＦＦ制御を行うスイッチや、十字キー、あるいはタッチパネルのようなポインティングデバイスを含む。操作部２０５が受け付けた操作情報は入力Ｉ／Ｆ２０６及びデータバス２１７を介して制御部２１２に入力される。
【００１７】
不揮発性メモリ２０７は、例えばＥＥＰＲＯＭ等の半導体メモリを含み、ビデオカメラ１００を制御するプログラムを格納する。また、不揮発性メモリ２０７は、ＨＴＴＰサーバープログラムや、タブレット１０１で動作するＷｅｂブラウザが実行するためのＷｅｂアプリケーションを格納する。
【００１８】
揮発性メモリ２０８は、例えばＤＲＡＭ等の半導体メモリを含み、制御部２１２のワークエリアとして機能する。また、カメラ１００の各部の動作に関する設定情報が格納される。さらには、通信制御部２１３にて受信したタブレット１０１のステータス情報も格納される。ＣＯＤＥＣ２０９は、揮発性メモリ２０８や記録媒体２０３に記録されている映像データを再生する。再生された映像データは、後述するＬＣＤパネル２１１及び外部出力端子２１６に接続されたモニタ１０４に表示される。出力Ｉ／Ｆ２１０は、制御部２１２がプログラムに従い生成したＧＵＩなどの表示データに基づき、ＬＣＤパネル２１１及びモニタ１０４に対して表示させるための表示信号を出力する。
【００１９】
制御部２１２は、不揮発性メモリ２０７に格納されたプログラムを読み出して揮発性メモリ２０８に展開し実行することによりビデオカメラ１００の各部を制御する。また、後述する設定変更処理を実行して表示制御手段として動作する。通信制御部２１３は、無線モジュール２１４を介して、タブレット１０１からビデオカメラ１００の撮影に関する設定情報の変更要求（単に設定変更要求ともいう）の受信及び当該設定変更要求に対する応答信号を送信する。また、通信制御部２１３は、撮影した映像データや不揮発性メモリ２０７に格納されたＷｅｂアプリケーションをタブレット１０１に送信する。アンテナ２１５は所定の通信方式に準拠した無線信号を送受信する。タブレット１０１に送信する応答信号は、制御部２１２及び通信制御部２１３によって生成されたパケットデータが、無線モジュール２１４によって搬送波の周波数帯の変調信号に変換されて、アンテナ２１５から無線信号としてタブレット１０１に送信される。外部出力端子２１６は、撮像素子２０１及びカメラ信号処理部２０２で生成された映像データを、ＳＤＩやＨＤＭＩ（登録商標）規格に準拠した形式で外部装置に出力する端子である。本実施形態ではＳＤＩを用いる例について説明するがＳＤＩに限定されるわけではない。例えば、アナログコンポジット出力であっても構わない。
【００２０】
図３は、本実施形態に係るタブレット１０１の機能構成例を示すブロック図である。タブレット１０１の各部はデータバス３１２を介してデータの入出力を行う。電源３００は、ＡＣ電源やバッテリーであり、タブレット１０１の各部に必要な電源を供給する。操作部３０１は、ユーザ操作を受け付ける入力デバイスとして、ＬＣＤパネル３０８と一体的に構成されたタッチパネルを有する。タッチパネルは、平面的に構成された入力部に対して接触された位置に応じた座標情報が出力される入力デバイスであり、タブレット１０１上で動作するアプリケーションの起動や操作を指示するために用いることができる。また、タッチパネルは、接触強度（押圧）を取得できるデバイスであってもよい。また、操作部３０１は、タブレット１０１に電源３００からの電源供給の開始と停止を制御するスイッチも含む。操作部３０１で受け付けたユーザ操作は、入力Ｉ／Ｆ３０２及びデータバス３１２を介して制御部３１１に入力される。
【００２１】
不揮発性メモリ３０３は、例えばＥＥＰＲＯＭ等の半導体メモリを含み、タブレット１０１を起動するプログラムを格納する。このプログラムは、操作部３０１によって電源３００から電気信号が供給されると、制御部３１１によって揮発性メモリ３０４に読み出される。揮発性メモリ３０４は、例えばＤＲＡＭ等の半導体メモリを含み、制御部３１１のワークエリアとしても機能する。なお、不揮発性メモリ３０３の代わりや揮発性メモリ３０４の領域を補うために、ハードディスク装置等の外部記録装置を利用してもよい。記録媒体３０５は、外部装置から受信したデータや制御部３１１が実行する一部のアプリケーションのプログラムデータを格納する。不揮発性メモリ３０３もしくは記録媒体３０５の少なくとも一方にはＷｅｂブラウザプログラムが格納されており、無線モジュール３０９から受信したＷｅｂアプリケーションを制御部３１１によって実行することができる。
【００２２】
ＣＯＤＥＣ３０６は、揮発性メモリ３０４や記録媒体３０５に格納されているデータを再生し、再生されたデータは後述するＬＣＤパネル３０８に表示される。出力Ｉ／Ｆ３０７は、制御部３１１がプログラムを実行して生成したＧＵＩなどの表示データに基づき、ＬＣＤパネル３０８に対して表示させるための表示信号を出力する。また、ＬＣＤパネル３０８は、出力Ｉ／Ｆ３０７を介して受信した表示信号に基づき情報表示を行う。アンテナ３１０は所定の通信方式に準拠した無線信号を送受信する。本実施形態では、タブレット１０１は、ＨＴＴＰクライアントとして動作し、ＨＴＴＰサーバとして動作するビデオカメラ１００と無線通信を行う。アンテナ３１０で受信した信号は、無線モジュール３０９によって復調及びパケットデータへの変換が行われ、揮発性メモリ３０４のバッファ領域を介して制御部３１１に入力される。また、受信を完了した際にビデオカメラ１００に送信する応答信号は、制御部３１１を介してパケットデータに変換され、無線モジュール３０９によって搬送波の周波数帯の変調信号としてビデオカメラ１００に送信される。
【００２３】
制御部３１１は、不揮発性メモリ３０３、記録媒体３０５又は無線モジュール３０９からプログラムを揮発性メモリ３０４に展開して実行する。また、制御部３１１はプログラムの動作タイミングを調整するためのタイマー機能を備えている。
【００２４】
（タブレット１０１における設定変更処理に係る一連の動作）
次に、図４Ａ及び図４Ｂを参照して、タブレット１０１における設定変更処理に係る一連の動作を説明する。なお、本処理は、例えばユーザが操作部３０１の電源ボタンを押下してタブレット１０１を起動した状態から開始される。また、本処理は、制御部３１１が不揮発性メモリ３０３又は記録媒体３０５に記憶されたプログラム、あるいは無線モジュール３０９を介して取得したプログラムを揮発性メモリ３０４に展開、実行することにより実現される。
【００２５】
図４Ａは、タブレット１０１がビデオカメラ１００との通信を確立してリモートアプリケーションを実行するまでの一連の動作を示している。
【００２６】
Ｓ４０１では、制御部３１１は、無線モジュール３０９及びアンテナ３１０を介してビデオカメラ１００とＷｉ−Ｆｉ通信を確立したか否かを判定する。制御部３１１は例えば無線モジュール３０９から接続確立を示す信号を受信した場合に当該Ｗｉ−Ｆｉ通信が確立したと判定して、処理をＳ４０２へ進める。一方、例えば所定の時間内に接続確立を示す信号を受信しなかった場合、Ｗｉ−Ｆｉ通信が確立していないと判定して、処理をＳ４０１へ戻す。
【００２７】
Ｓ４０２では、制御部３１１は、Ｗｅｂブラウザを起動済みであるか否かを判定する。制御部３１１は、例えば操作部３０１を介してＷｅｂブラウザを起動するユーザ操作を受け付け、Ｗｅｂブラウザの実行を開始した場合、Ｗｅｂブラウザを起動済みであると判定して処理をＳ４０３に進める。一方、Ｗｅｂブラウザが起動されていない場合、再びＳ４０２へ処理を戻す。
【００２８】
Ｓ４０３では、制御部３１１は、ビデオカメラ１００で動作するＨＴＴＰサーバとの通信が確立されているか否かを判定する。例えば、制御部３１１は、Ｓ４０２で起動したＷｅｂブラウザとＨＴＴＰサーバとの間で安全に通信するためにＳＳＬセッションを確立し、当該セッションの確立が完了した場合にＨＴＴＰサーバとの通信が確立したと判定する。一方、ＨＴＴＰサーバとの通信が確立していない場合、処理をＳ４０３に戻す。なお、上述のセッションを確立する処理は一例であり、単に（ソケットの生成が完了する等の）ＨＴＴＰサーバと通信可能な状態になった場合に本ステップの条件が成立した（Ｙｅｓ）と判定してもよい。
【００２９】
Ｓ４０４では、制御部３１１は、リモートアプリケーションプログラムを受信済みであるか否かを判定する。例えば、制御部３１１は、Ｓ４０３においてＨＴＴＰサーバとの間で確立した通信によって、リモートアプリケーションプログラムをダウンロードする。当該プログラムのダウンロードを完了している場合、リモートアプリケーションプログラムを受信済みであると判定してＳ４０５へ処理を進める。
【００３０】
Ｓ４０５では、制御部３１１は、Ｓ４０４でダウンロードしたリモートアプリケーションをＷｅｂブラウザ上で実行し、その後、本処理に係る一連の動作を終了する。
【００３１】
次に、図４Ｂを参照して、制御部３１１がＳ４０５において実現するリモートアプリケーションの実行に係る一連の動作について説明する。制御部３１１は、リモートアプリケーションを実行すると、ＧＵＩ画面をＬＣＤパネル３０８全体に表示する。ここで、図５（Ａ）は、ＬＣＤパネル３０８に表示されるリモートアプリケーションの画面構成の一例を示している。画面５００は、制御部３１１が生成するＧＵＩ画面全体を表す。領域５０１は、ビデオカメラ１００から受信したカメラスルー映像を表示するためのライブビュー領域である。図５（Ａ）に示す他の表示要素については、図４Ｂにおいて説明する一連の動作の説明とともに適宜後述する。
【００３２】
Ｓ４０６では、制御部３１１は、リモートアプリケーションが終了されたか否かを判定する。例えば、制御部３１１は、操作部３０１を介して不図示のアプリケーションの終了操作を受け付けた場合、リモートアプリケーションが終了されたと判定して、本一連の操作を終了する。それ以外の場合、リモートアプリケーションが終了されていないと判定して、Ｓ４０７へ処理を進める。
【００３３】
Ｓ４０７では、制御部３１１は、強調表示された状態の表示要素が存在するか否かを判定する。制御部３１１は、後述するＳ４２５で設定される、特定の表示要素が強調表示されたことを示すタイマーの有無を判定する。計時中のタイマーが存在する場合には、強調表示された状態の表示要素が存在すると判定してＳ４０８へ処理を進める。計時中の当該タイマーが存在しない場合には、強調表示された状態の表示要素が存在しないと判定してＳ４１０へ処理を進める。
【００３４】
Ｓ４０８では、制御部３１１は、表示要素を強調表示した状態が一定期間経過したか否かを判定する。例えば、制御部３１１は、上述した特定の表示要素が強調表示されたことを示すタイマーが一定期間以上計時している場合、表示要素を強調表示した状態が一定期間経過したと判定してＳ４０９へ処理を進める。当該タイマーが一定期間以上計時していない場合、表示要素を強調表示した状態が一定期間経過していないと判定して、Ｓ４１０へ処理を進める。Ｓ４０９では、制御部３１１は、Ｓ４０８で判定された表示要素について、強調表示を終了する。
【００３５】
Ｓ４１０では、制御部３１１は、強調表示するための情報（単に強調通知ともいう）をビデオカメラ１００へ送信する条件（単に強調通知条件ともいう）の設定が変更されたか否かを判定する。なお、制御部３１１は、この強調通知条件を、ボタン５０２〜５０４に対するユーザ操作に基づいて設定する。図５（Ａ）に示すボタン５０２〜５０４は、このうちいずれかが他と異なる表示形態になることで、そのボタンの状態が有効であることを示す。ボタン５０２は、強調通知を常に送信するように強調通知条件を設定するボタンである。ボタン５０２が有効である場合、ユーザがビデオカメラ１００へ設定変更要求を送信するたびに、（毎回判断を求められることなく）常に強調通知が発行される。
【００３６】
また、ボタン５０３が有効である場合、定められた条件が満たされる場合に強調通知を送信するように強調通知条件が設定される。この定められた条件には、例えばタッチパネルにおける操作態様や表示要素の値に応じた、下記の条件が適用され得る。
条件例１：接触強度を検出可能なタッチパネルにおいて、後述のＳ４２０の操作時に、タッチパネルを所定の閾値以上に強く押下した場合。このような条件を適用することにより、タブレット１０１のユーザは、設定変更を行う都度、表示要素ごとに強調通知するか否かを１ストロークの操作で容易に切り替えることができる。換言すれば、ユーザは撮影者（カメラマン）や撮影監督に特に認識させたい表示要素に対する変更だけを選択して強調通知を送信することができる。
条件例２：後述のＳ４２０の操作時に、タッチパネルを所定の時間以上に長く押下（長押し）した場合。このような条件を適用しても、条件例１と同様にタブレット１０１のユーザは、設定変更を行う都度、表示要素ごとに強調通知するか否かを１ストロークの操作で容易に切り替えることができる。特に、本条件を用いることにより、タブレット１０１のタッチパネルが接触強度を検出可能でない場合であっても、ユーザは特に認識させたい表示要素に対する変更だけを選択して強調通知を送信することができる。
条件例３：後述のＳ４２０の操作によって、既定の値域範囲を超える設定変更が行われた場合。ただし、既定の値域範囲は、ビデオカメラ１００から無線モジュール３０９を介して受信してもよいし、ＬＣＤパネル３０８上のＧＵＩからユーザが設定してもよい。このようにすれば、予め計画された値域範囲を超える設定変更を行った場合にのみ、ビデオカメラ１００を扱っているカメラマンや撮影監督にその変更を通知することができる。
【００３７】
ボタン５０４は、強調通知を常に無効にするように強調通知条件を設定するボタンである。ボタン５０４が有効である場合、ユーザがビデオカメラ１００へ設定変更要求を送信しても、（毎回判断を求められることなく）強調通知は送信されない。
【００３８】
このように、強調通知条件を用いることで、設定変更要求をビデオカメラ１００に送信する際に、撮影に関わるアシスタント、カメラマン又は撮影監督にとって有用な変更内容のみについて強調通知を送信することができる。従って、ビデオカメラ１００ではカメラマン等の責務に影響のある変更についてのみ強調表示が行われるため、カメラマン等は自らの責務に集中することができる。
【００３９】
なお、ボタン５０２〜５０４に対する設定の変更は、タッチパネル上のボタン押下以外の方法によってなされてもよい。例えば、操作部３０１に含まれる物理スイッチによって変更を受け付けてもよい。この場合、タッチパネルと同様の効果が得られる。あるいは、ビデオカメラ１００から無線モジュール３０９を介して変更を受信してもよい。この場合、ビデオカメラ１００を扱うカメラマン又は撮影監督によって強調通知条件を変更することができるため、自身が強調通知を受け取りたい条件を自らタブレット１０１に設定することができる。
【００４０】
制御部３１１は、強調通知条件の設定が変更されたか否かを判定し、当該設定が変更されたと判定した場合はＳ４１１へ処理を進める。一方、当該設定が変更されていないと判定した場合はＳ４１２へ処理を進める。
【００４１】
Ｓ４１１では、制御部３１１は、揮発性メモリ３０４に保持されている強調通知条件を、Ｓ４１０で変更された設定に変更する。Ｓ４１２では、制御部３１１は、操作部３０１からの入力に基づいて、設定変更エリア５０８を切り替えるためのＷＢ（ホワイトバランス）ボタン５１３が押下されたか否かを判定する。ＷＢボタン５１３が押下されたと判定した場合はＳ４１３へ処理を進め、ＷＢボタン５１３が押下されていないと判定した場合はＳ４１４へ処理を進める。
【００４２】
Ｓ４１３では、制御部３１１は、画面５００に含まれる設定変更エリア５０８を、ホワイトバランス設定用の画面構成に変更する。なお、図５（Ａ）に示す設定変更エリア５０８の例では、ホワイトバランス設定画面を示しているが、後述する他の機能における設定画面では、設定変更エリア５０８がそれぞれの機能に対応した表示構成となる。なお、他の機能における設定画面では、各機能を設定するためのボタンが表示されればよいため、他の機能における設定画面の詳細については説明を省略する。
【００４３】
Ｓ４１４では、制御部３１１は、操作部３０１からの入力に基づいてＥｘｐｏｓｕｒｅボタン５１４が押下されたか否かを判定する。Ｅｘｐｏｓｕｒｅボタン５１４が押下されたと判定した場合、Ｓ４１５へ処理を進め、Ｅｘｐｏｓｕｒｅボタン５１４が押下されていないと判定した場合、Ｓ４１６へ処理を進める。Ｓ４１５では、制御部３１１は、画面５００に含まれる設定変更エリア５０８を、露出設定用の画面構成へ変更する。
【００４４】
Ｓ４１６では、制御部３１１は、操作部３０１からの入力に基づいてＦｏｃｕｓボタン５１５が押下されたか否かを判定する。Ｆｏｃｕｓボタン５１５が押下されたと判定した場合、Ｓ４１７へ処理を進め、Ｆｏｃｕｓボタン５１５が押下されていないと判定した場合、Ｓ４１８へ処理を進める。Ｓ４１７では、制御部３１１は、画面５００に含まれる設定変更エリア５０８を、フォーカス設定用の画面構成へ変更する。
【００４５】
Ｓ４１８では、制御部３１１は、操作部３０１からの入力に基づいてＺｏｏｍボタン５１６が押下されたか否かを判定する。Ｚｏｏｍボタン５１６が押下されたと判定した場合、Ｓ４１９へ処理を進め、Ｚｏｏｍボタン５１６が押下されていないと判定した場合、Ｓ４２０へ処理を進める。Ｓ４１９では、制御部３１１は、画面５００に含まれる設定変更エリア５０８を、ズーム設定用の画面構成へ変更する
Ｓ４２０では、制御部３１１は、設定変更エリア５０８において任意の表示要素に対する設定変更要求があったか否かを判定する。図５（Ａ）に示すホワイトバランス設定画面の例では、ユーザは、領域５０９又は領域５１１に含まれるいずれかのボタンに対して、ホワイトバランス設定の変更を要求することができる。例えば、領域５０９には、ホワイトバランスモードの変更を要求するボタン群が配置される。例えば、上から順にオート、白取り込みＡ、白取り込みＢ、太陽光、タングステン光、ケルビン手動設定に対応するボタンが配置される。図５（Ａ）に示す例では、ボタン領域内のアイコンを囲う枠を表示することによって、ケルビン手動設定が有効であることが示されている。更に、領域５０９内の領域５１０には、各ホワイトバランスモードに切り替えた場合の動作パラメータが表示されている。また、領域５１１には、現在のホワイトバランスモードにおいて設定可能な値のそれぞれを選択するためのボタン群が配置されている。スクロールバー５１２は、領域５１１内のボタンが画面内に収まりきらない場合にスクロールさせて他のボタンを表示させることができることを示すものである。制御部３１１は、領域５０９内のボタン又は領域５１１内のボタンのいずれかがタッチされた場合、任意の表示要素に対する設定変更要求があったと判定して４２１へ処理を進める。それ以外の場合、設定変更要求がなかったと判定して、Ｓ４０６へ処理を戻す。
【００４６】
Ｓ４２１では、制御部３１１は、Ｓ４２０における設定変更要求の内容がＳ４１１で設定された強調通知条件を満たすか否かを判定する。例えば、制御部３１１は、ボタン５０２が有効である場合、Ｓ４２０における設定変更要求の内容が強調通知条件を満たすと判定する。また、制御部３１１は、ボタン５０３が有効である場合、例えばＳ４２０における設定変更要求の内容が、タッチパネルを所定の閾値以上に強く押下する操作であるかを更に判定して、強調通知条件を満たすかを判定する。あるいは、Ｓ４２０における設定変更要求の内容が既定の値域範囲を超えるかを更に判定して、強調通知条件を満たすかを判定する。一方、ボタン５０４が有効である場合、Ｓ４２０における設定変更要求の内容が強調通知条件を満たさないと判定する。制御部３１１は、設定変更要求の内容が強調通知条件を満たすと判定した場合はＳ４２２へ処理を進め、強調通知条件を満たさないと判定した場合はＳ４２６へ処理を進める。
【００４７】
Ｓ４２２では、制御部３１１は、設定変更要求に係る表示要素がビデオカメラ１００において強調表示されるように、設定変更要求と強調通知とをビデオカメラ１００へ送信する。ビデオカメラ１００は、送信された設定変更要求と強調通知とに基づいて、ビデオカメラ１００内における設定を変更するとともに、当該設定に係る表示要素の強調表示を行う。さらに、ビデオカメラ１００は、当該設定項目についての設定変更結果をタブレット１０１に送信する。
【００４８】
Ｓ４２３では、制御部３１１は、ビデオカメラ１００から設定変更結果を受信したか否かを判定する。例えば、制御部３１１は、無線モジュール３０９からの入力に基づいて設定変更結果を受信したと判定した場合、処理をＳ４２４に進める。一方、設定変更結果を受信していないと判定した場合、処理をＳ４２３に戻して設定変更結果の受信を待つ。Ｓ４２４では、制御部３１１は、状態表示領域５０５内に表示した表示要素のうち、Ｓ４２３で受信した設定変更結果に対応する表示要素を更新する。例えば、Ｓ４２０において領域５０９のボタンが操作された場合、Ｓ４２３においてビデオカメラ１００からホワイトバランスモード及びその調整状態に係る設定変更結果を受信して、当該設定変更結果に対応する表示要素５０６及び５０７を更新する。あるいは、Ｓ４２０において領域５１１のボタンが操作された場合、表示要素５０７のみを更新する。この例では、制御部３１１は更に、設定変更後のホワイトバランスモード及び調整値に合致するように領域５０９内のボタンの表示を更新する。
【００４９】
Ｓ４２５では、制御部３１１は、Ｓ４２４において更新した表示要素を強調表示する。本実施形態に係る強調表示には、例えば以下の（１）〜（４）のいずれか又はこれらの組み合わせが用いられる。制御部３１１は、（１）表示色を他の表示要素と異なる色にする、（２）文字サイズを他の表示要素より大きくする、（３）書体や効果を他の表示要素と異ならせる、（４）表示要素を点滅させる、又は（５）設定の変更を通知するダイアログを表示する。なお、更新した表示要素が強調されて見えれば、上記以外の他の表現であっても構わない。このとき、制御部３１１は、Ｓ４０７やＳ４０８において強調表示状態の表示要素の有無やその経過時間を判定するための、例えば特定の表示要素が強調表示されたことを示すタイマーをスタートする。なお、Ｓ４２５の表示変更は、Ｓ４２４の表示変更と同時に行っても構わない。
【００５０】
Ｓ４２６では、Ｓ４２０における設定変更要求に係る表示要素がビデオカメラ１００において強調表示されないように、設定変更要求のみをビデオカメラ１００へ送信する。ビデオカメラ１００は、受信した設定変更要求に基づいてビデオカメラ１００内における設定を変更する。さらに、ビデオカメラ１００は、タブレット１０１に対して設定項目についての設定変更結果を送信する。
【００５１】
Ｓ４２７では、制御部３１１は、ビデオカメラ１００から設定変更結果を受信したか否かを判定する。制御部３１１は、無線モジュール３０９からの通知に基づいてビデオカメラ１００から設定変更結果を受信したと判定した場合、Ｓ４２８へ処理を進め、受信していないと判定した場合、Ｓ４２７に処理を戻す。
【００５２】
Ｓ４２８では、制御部３１１は、Ｓ４２４と同様に、状態表示領域５０５内に表示した表示要素のうち、Ｓ４２７で受信した設定変更結果に対応する表示要素を更新する。また、設定変更後のホワイトバランスモード及び調整値に合致するように領域５０９内のボタンも更新する。その後、制御部３１１は処理を再びＳ４０６に戻し、Ｓ４０６の判定に応じてリモートアプリケーションが終了された場合に本処理に係る一連の動作を終了する。
【００５３】
（ビデオカメラ１００における設定変更処理に係る一連の動作）
次に、図４Ｃを参照して、制御部２１２が実現するビデオカメラ１００の動作について説明する。この動作は、リモートアプリケーションが実行されているタブレット１０１との通信に関するものである。図５（Ｂ）および図５（Ｃ）は、ＬＣＤパネル２１１に表示されるライブビュー画面、または外部出力端子２１６に接続されたモニタ１０４に表示されるライブビュー画面の構成の一例である。図５（Ｂ）はリモートアプリケーションによって変更された設定に関する表示要素を強調表示した状態、図５（Ｃ）はいずれの表示要素も強調表示していない状態を示している。図５（Ｂ）および図５（Ｃ）に示す他の表示要素については、図４Ｃにおいて説明する一連の動作の説明とともに適宜後述する。
【００５４】
Ｓ４２９では、制御部２１２は、通信制御部２１３に対して、無線モジュール２１４及びアンテナ２１５を介してタブレット１０１とＷｉ−Ｆｉ通信を確立したか否かを問い合わせる。通信制御部２１３においてＷｉ−Ｆｉ通信による接続が確立していれば、処理をＳ４３０へ進める。一方、所定の時間内にＷｉ−Ｆｉ通信による接続が確立していない場合は、処理をＳ４２９へ戻す。
【００５５】
Ｓ４３０では、制御部２１２は、通信制御部２１３によってＨＴＴＰサーバーを起動する。Ｓ４３１では、制御部２１２は、通信制御部２１３がＨＴＴＰ通信によって、タブレット１０１からリモートアプリケーションのダウンロード要求を受信したか否かを判定する。ダウンロード要求を受信していれば、制御部２１２は、Ｓ４３２において通信制御部２１３が不揮発性メモリ２０７もしくは記録媒体２０３からリモートアプリケーションを読み出し、タブレット１０１へ送信するよう制御する。ダウンロード要求を受信していなければ、Ｓ４３３へ処理を進める。
【００５６】
Ｓ４３３では、制御部２１２は、強調表示された状態の表示要素が存在するか否かを判定する。制御部２１２は、後述するＳ４４２で設定される、特定の表示要素が強調表示されたことを示すタイマーの有無を判定する。計時中のタイマーが存在する場合には、強調表示された状態の表示要素が存在すると判定してＳ４３４へ処理を進める。計時中の当該タイマーが存在しない場合には、強調表示された状態の表示要素が存在しないと判定してＳ４３６へ処理を進める。
【００５７】
Ｓ４３４では、制御部２１２は、表示要素を強調表示した状態が一定期間経過したか否かを判定する。例えば、制御部２１２は、上述した特定の表示要素が強調表示されたことを示すタイマーが一定期間以上計時している場合、表示要素を強調表示した状態が一定期間経過したと判定してＳ４３５へ処理を進める。当該タイマーが一定期間以上計時していない場合、表示要素を強調表示した状態が一定期間経過していないと判定して、Ｓ４３６へ処理を進める。Ｓ４３５では、制御部２１２は、Ｓ４３３で判定された表示要素について、強調表示を終了する。
【００５８】
Ｓ４３６では、制御部２１２は、通信制御部２１３がＨＴＴＰ通信によって、タブレット１０１から設定変更要求を受信したか否かを判定する。設定変更要求を受信していれば、Ｓ４３７へ処理を進める。設定変更要求を受信していなければ、Ｓ４４３へ処理を進める。
【００５９】
Ｓ４３７では、制御部２１２は、Ｓ４３６で受信した設定変更要求に基づいて、揮発性メモリ２０８に格納された設定情報を変更する。Ｓ４３８では、制御部２１２は、Ｓ４３７で変更した設定内容に基づいてビデオカメラ１００の各部に対する制御を実行する。例えば、Ｓ４３７で変更した設定がホワイトバランスに関するものであれば、その内容に基づいてカメラ信号処理部２０２を制御する。あるいは、Ｓ４３７で変更した設定が絞りやフォーカスやズームに関するものであれば、その内容に基づいて撮影光学系２００を制御する。
【００６０】
Ｓ４３９では、制御部２１２は、ライブビュー画面５１７内に表示した表示要素のうち、Ｓ４３８で行った制御の結果に関わる表示要素を更新する。例えば、Ｓ４３８においてホワイトバランスの設定が変更された場合、当該設定変更結果に対応する表示要素５１８ａまたは５１８ｂを更新する。
【００６１】
Ｓ４４０では、制御部２１２は、Ｓ４３８で設定変更した結果を、通信制御部２１３によってタブレット１０１へ送信する。Ｓ４４１では、制御部２１２は、Ｓ４３６において設定変更要求と同時に強調要求を受信したか否かを判定する。制御部２１２は、強調要求を受信したと判定した場合は、Ｓ４４２に処理を進める。一方、強調要求を受信していないと判定した場合は、Ｓ４４３の処理へ進める。このとき、変更されたホワイトバランスに関する表示要素は、５１８ｂのように強調されずに表示される。
【００６２】
Ｓ４４２では、制御部２１２は、Ｓ４３９で更新した表示要素を強調表示する。本実施形態に係る強調表示は、タブレット１０１における強調表示のバリエーションのいずれか又はそれらの組み合わせが用いられる。例えば、図５（Ｂ）に示す５１８ａはその一例であり、変更されたホワイトバランスに関する表示要素を、色つきの下敷き矩形を重ねて表示することによって強調している。なお、更新した表示要素が強調されて見えれば、上記以外の他の表現であっても構わない。このとき、制御部２１２は、Ｓ４３３やＳ４３４において強調表示状態の表示要素の有無やその経過時間を判定するための、例えば特定の表示要素が強調表示されたことを示すタイマーをスタートする。なお、Ｓ４４２の表示変更は、Ｓ４３９の表示変更と同時に行っても構わない。
【００６３】
Ｓ４４３では、制御部２１２は、通信制御部２１３において確立したタブレット１０１とのＷｉ−Ｆｉ通信が切断されたか否かを判断する。Ｗｉ−Ｆｉ通信による接続が切断されていれば、処理をＳ４４４へ進める。一方、Ｗｉ−Ｆｉ通信が切断されていなければ、処理をＳ４３１へ戻す。Ｓ４４４では、制御部２１２は、通信制御部２１３によって起動したＨＴＴＰサーバーを終了する。
【００６４】
以上説明したように本実施形態では、設定変更要求の内容が強調通知条件を満たす場合、設定変更に係る表示要素がビデオカメラ１００において強調して表示されるように、設定変更要求と強調通知とをビデオカメラ１００へ送信するようにした。また、設定変更要求の内容が強調通知条件を満たさない場合、強調通知を送信せずに設定変更要求のみをビデオカメラ１００へ送信するようにした。このようにすれば、ビデオカメラ１００側では、カメラマンの責務に影響のある変更についてのみ強調表示を行うことができ、カメラマンは自らの責務に集中することができる。換言すれば、タブレット１０１からビデオカメラ１００の設定変更を行う際に、変更した設定項目のうち所望のものだけを撮像装置の使用者側に通知することが可能になる。
【００６５】
更に、タブレット１０１は、ビデオカメラ１００における設定変更結果を受信し、当該設定変更結果の受信に応じてビデオカメラ１００における表示要素を強調表示するようにした。このようにすることで、設定変更要求を送信したタブレット１０１のユーザは、ビデオカメラ１００における強調表示が意図通りに行われたことを、タブレット１０１において確認することができる。
【００６６】
なお、上述した実施形態では、状態表示領域５０５に含まれる各表示要素は、設定変更要求の対象でないものとして説明した。しかし、状態表示領域５０５に含まれる各表示要素をボタンとみなし、これら表示要素がタッチされた場合に、強調通知条件に基づいて設定変更要求を送信し、タッチされた表示要素に対応するビデオカメラ１００の表示要素を強調表示させてもよい。このようにすることで、設定を変更した場合だけでなく、単にビデオカメラ１００の状態の経過をカメラマン、撮影監督又はアシスタントに気付かせたい場合、ＬＣＤパネル２１１やモニタ１０４における強調表示を実現することができる。
【００６７】
（実施形態２）
次に実施形態２について説明する。実施形態２では、タブレット１０１は、ビデオカメラ１００において強調表示を行うための条件（強調表示条件）を予めビデオカメラ１００へ送信する。そして、ビデオカメラ１００において強調表示された表示要素について、タブレット１０１において強調表示を行う。従って、本実施形態のビデオカメラ１００及びタブレット１０１の構成は実施形態１と同様であり、設定変更処理の一部、及び表示画面の一部のみが異なる。このため、実施形態１における構成、ステップ及び表示要素と同一のものは、同一の符号を付して重複する説明は省略し、相違点について重点的に説明する。
【００６８】
（タブレット１０１における設定変更処理に係る一連の動作）
本実施形態における設定変更処理に係る一連の動作について、図６Ａ及び図７を参照して説明する。この一連の動作は、実施形態１と同様、制御部３１１が不揮発性メモリ３０３又は記録媒体３０５に記憶されたプログラム、あるいは無線モジュール３０９を介して取得したプログラムを揮発性メモリ３０４に展開、実行することにより実現される。
【００６９】
まず、制御部３１１は、ビデオカメラ１００との通信を確立してリモートアプリケーションを実行するまでの動作（Ｓ４０１〜４０５）を実施形態１と同様に実行するとともに、Ｓ４０６〜Ｓ４０９の処理を実行してＳ６０１に処理を進める。
【００７０】
図７は、本実施形態においてＬＣＤパネル３０８に表示されるリモートアプリケーションの画面構成例を示している。画面７００は、出力Ｉ／Ｆ３０７が生成するＧＵＩ画面全体を表している。図７における画面７００では、実施形態１において存在した強調通知条件を設定するボタン５０２〜５０４が存在しない代わりに、ボタン７０１及び７０２が存在する。
【００７１】
Ｓ６０１では、制御部３１１は、ビデオカメラ１００へ送信する強調表示条件が変更されたか否かを判定する。この強調表示条件は、ボタン７０１又はボタン７０２に対するユーザ操作に基づいて変更される。ボタン７０１及びボタン７０２は、このうち一方が他方と異なる表示形態になることで、そのボタンに対応する状態が有効であることを示す。ボタン７０１は、現在表示している設定変更エリア５０８に対応する機能（すなわちホワイトバランス機能）について、強調表示を有効にするボタンである。ボタン７０２は、現在表示している設定変更エリア５０８に対応する機能について、強調表示を無効にするボタンである。制御部３１１は、例えば、直前の強調表示条件と新たに入力された強調表示条件とが異なる場合、強調表示条件が変更されたと判定して、Ｓ６０２に処理を進める。一方、強調表示条件が変更されていないと判定した場合、Ｓ４１２に処理を進める。
【００７２】
なお、ボタン７０１およびボタン７０２の代わりに、例えば領域５１１内のボタンによって設定されうる値の下限値と上限値をそれぞれ指定するボタンを設けてもよい。その場合の強調表示条件は、これら２つのボタンによって指定した値の範囲外を設定することである。
【００７３】
Ｓ６０２では、制御部３１１は、Ｓ６０１で押下されたボタンに対応する強調表示条件をビデオカメラ１００へ送信する。その後、制御部３１１は、更に実施形態１と同様にＳ４１２〜Ｓ４２０の処理を行って、設定変更が要求されたと判定した場合にＳ４２６と同様に設定変更要求をビデオカメラ１００へ送信する。
【００７４】
Ｓ６０３では、制御部３１１は、ビデオカメラ１００における設定変更結果と強調結果とをビデオカメラ１００から受信したか否かを判定する。なお、強調結果は、ビデオカメラ１００が強調表示条件に基づいて表示要素を強調表示したか否かを示す情報である。制御部３１１は、無線モジュール３０９からの入力に基づいてビデオカメラ１００から設定変更結果と強調結果とを受信したと判定した場合、Ｓ４２４に処理を進める。一方、受信していないと判定した場合、再びＳ６０３に処理を戻す。
【００７５】
Ｓ６０４では、制御部３１１は、Ｓ６０３で受信した強調結果が、ビデオカメラ１００において強調表示を行ったことを示すか否かを判定する。制御部３１１は、ビデオカメラ１００において強調表示を行ったことを示すと判定した場合、Ｓ４２５へ処理を進める。一方、強調表示を行っていないことを示す場合、強調表示を行わずにＳ４０６に処理を戻す。
【００７６】
（ビデオカメラ１００における設定変更処理に係る一連の動作）
次に、図６Ｂを参照して、制御部２１２が実現するビデオカメラ１００の動作について説明する。この動作は、リモートアプリケーションが実行されているタブレット１０１との通信に関するものである。ＬＣＤパネル２１１に表示されるライブビュー画面、および外部出力端子２１６に接続されたモニタ１０４に表示されるライブビュー画面の構成は、図５（Ｂ）および図５（Ｃ）と同様である。
【００７７】
まず、制御部２１２は、タブレット１０１との通信を確立してＨＴＴＰサーバーを起動するまでの動作（Ｓ４２９〜４３０）を実施形態１と同様に実行するとともに、Ｓ４３１〜Ｓ４３５の処理を実行してＳ６０５に処理を進める。Ｓ６０５では、制御部２１２は、通信制御部２１３がＨＴＴＰ通信によって、タブレット１０１から強調表示条件を受信したか否かを判定する。設定変更要求を受信していれば、Ｓ６０６へ処理を進める。設定変更要求を受信していなければ、Ｓ４３６へ処理を進める。
【００７８】
Ｓ６０６では、制御部２１２は、Ｓ６０５で受信した強調表示条件を揮発性メモリ２０８内に記憶する。すでに強調表示条件を記憶済みであった場合は、その値を更新する。
【００７９】
その後、制御部２１２は、更に実施形態１と同様にＳ４３６〜Ｓ４４０の処理を行って、設定変更要求を受信したと判定した場合には変更に伴う処理を行う。
【００８０】
Ｓ６０７では、制御部２１２は、Ｓ６０５にて強調表示条件を受信済みか否かを判定する。制御部２１２は、強調表示条件を受信済みと判定した場合は、Ｓ６０８に処理を進める。一方、強調表示条件を未受信と判定した場合は、Ｓ４４３へ処理を進める。
【００８１】
Ｓ６０８では、制御部２１２は、Ｓ４３７で変更した設定情報が、Ｓ６０６で記憶した強調表示条件に合致するか否かを判定するステップである。制御部２１２は、強調表示条件に合致すると判定した場合は、Ｓ６０９へ処理を進める。一方、制御部２１２が強調表示条件に合致しないと判定した場合は、Ｓ４４３の処理へ進む。このとき、変更されたホワイトバランスに関する表示要素は、５１９ｂのように強調されずに表示される。
【００８２】
Ｓ６０９では、制御部２１２は、Ｓ４３９で更新した表示要素を強調表示する。例えば、図５（Ｂ）に示す５１８ａはその一例であり、変更されたホワイトバランスに関する表示要素を強調している。なお、更新した表示要素が強調されて見えれば、上記以外の他の表現であっても構わない。このとき、制御部２１２は、Ｓ４３３やＳ４３４において強調表示状態の表示要素の有無やその経過時間を判定するための、例えば特定の表示要素が強調表示されたことを示すタイマーをスタートする。なお、Ｓ６０９の表示変更は、Ｓ４３９の表示変更と同時に行っても構わない。
【００８３】
以上説明したように本実施形態によれば、タブレット１０１が強調表示条件を設定してビデオカメラ１００に予め送信し、更に設定変更要求をビデオカメラ１００に送信するようにした。このようにすることで、ビデオカメラ１００はタブレット１０１から設定変更要求を受信した際に当該変更内容を強調表示すべきか否かを強調表示条件に基づいて判定することができる。すなわち、ビデオカメラ１００側では、カメラマンの責務に影響のある変更についてのみ強調表示を行うことができ、カメラマンは自らの責務に集中することができる。換言すれば、タブレット１０１からビデオカメラ１００の設定変更を行う際に、変更した設定項目のうち所望のものだけを撮像装置の使用者側に通知することが可能になる。
【００８４】
また、想定範囲以外の設定値を予め強調表示条件として設定すれば、撮影監督がモニタ１０４を閲覧しながら撮影を行うような状況において、操作ミスと思われる予定外の設定変更に気付くように強調表示することができる。更に、タブレット１０１は、ビデオカメラ１００における設定変更結果と強調結果とを受信し、当該強調結果の受信に応じてビデオカメラ１００における表示要素を強調表示するようにした。このようにすることで、設定変更要求を送信したタブレット１０１のユーザは、ビデオカメラ１００における強調表示が意図通りに行われたことを、タブレット１０１において確認することができる。
【００８５】
なお、制御部３１１が行うものとして説明した上述の各種制御は、１つのハードウェアが行ってもよいし、複数のハードウェアが処理を分担することで、装置全体の制御を行ってもよい。
【００８６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８７】
また、上述した実施形態においては、本発明をタブレット端末に適用した場合を例にして説明したが、これはこの例に限定されず、撮像装置を操作可能な通信装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、スマートフォン、投影装置、ディスプレイを備える家電装置、車載装置、内視鏡や手術支援システム等の撮影を伴う医療システムなどに適用可能である。
【００８８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８９】
２０１…撮像素子、２１１…ＬＣＤパネル、２１４…無線モジュール、３０１…操作部、３０９…無線モジュール、３１１…制御部
【図１】
0006685185.tif 000002
【図２】
0006685185.tif 000003
【図３】
0006685185.tif 000004
【図４Ａ】
0006685185.tif 000005
【図４Ｂ】
0006685185.tif 000006
【図４Ｃ】
0006685185.tif 000007
【図５】
0006685185.tif 000008
【図６Ａ】
0006685185.tif 000009
【図６Ｂ】
0006685185.tif 000010
【図７】
0006685185.tif 000011